(57)【要約】【課題】  正立顕微鏡としても倒立顕微鏡としても用いることができる顕微鏡を提供する。【解決手段】  この顕微鏡１は、土台部１０と、この土台部１０に支持された回転台２０とを備えている。また、顕微鏡１は、この回転台２０に支持された鏡筒部３０と、鏡筒部３０の下方で回転台２０に支持された試料台４０と、試料台４０の下方で試料台４０を介して回転台２０に支持された模様体照明５０とを備えている。この顕微鏡１は、回転台２０を土台部１０に対し回転させることで、鏡筒部３０が試料台４０に対して上方に位置する正立位置と、鏡筒部３０が試料台４０に対して下方に位置する倒立位置とに配置することができるように構成されている。従って、この顕微鏡１は、正立顕微鏡としても倒立顕微鏡としても用いることができる。【選択図】図３
2011027906.tif 000002
【特許請求の範囲】
【請求項１】
対物レンズを備える鏡筒部と、
前記対物レンズに向けて観察光を照射する照射手段と、
観察用の試料を載せた観察用具を載置する部分に、前記観察光を通す通光部を有する試料台と、
前記照射手段から照射された前記観察光が、前記通光部を通って前記対物レンズに至るように、前記鏡筒部、前記試料台、及び、前記照射手段を支持する支持手段と、
前記試料台の上方に前記鏡筒部が位置する正立位置から、前記試料台の下方に前記鏡筒部が位置する倒立位置まで前記支持手段を回転可能に支持する土台と、
を備えることを特徴とする顕微鏡。
【請求項２】
請求項１に記載の顕微鏡において、
前記鏡筒部が前記試料台に対し前記正立位置及び前記倒立位置に位置するときに、前記支持手段を前記土台に固定する固定手段を備えることを特徴とする顕微鏡。
【請求項３】
請求項１，２のいずれかに記載の顕微鏡において、
前記照射手段は、
模様を有する透過体と、
光源とを有し、
前記光源から発せられ前記透過体を通した光を、前記観察光として照射することを特徴とする顕微鏡。
【請求項４】
請求項１〜３のいずれかに記載の顕微鏡において、
前記試料台は、
前記照射手段側及び前記対物レンズ側の両側に、前記観察用具を置く位置を位置決めする位置決凹部を有することを特徴とする顕微鏡。
【請求項５】
請求項１〜４のいずれかに記載の顕微鏡において、
前記試料台の前記対物レンズに対向する側を照らす位置から、前記試料台の前記照射手段に対向する側を照らす位置まで移動可能に前記支持手段に支持された照明手段を備えることを特徴とする顕微鏡。
【請求項６】
請求項１〜５のいずれかに記載の顕微鏡において、
前記試料台及び前記鏡筒部はいずれも、前記観察光の光路に沿って移動可能に前記支持手段に支持されてていることを特徴とする顕微鏡。
【請求項７】
請求項１〜６のいずれかに記載の顕微鏡において、
前記鏡筒部は、
前記対物レンズを介して前記試料を撮像する撮像手段を備え、
前記撮像手段は、
撮影した画像をそのまま出力する第１モードと、撮影した画像の鏡像を出力する第２モードとを切替える切替手段を備えることを特徴とする顕微鏡。
【請求項８】
請求項１〜７のいずれかに記載の顕微鏡において、
前記鏡筒部は、
前記支持手段に対し着脱可能に支持されていることを特徴とする顕微鏡。
【発明の詳細な説明】
【技術分野】
【０００１】
本発明は、顕微鏡に関する。
【背景技術】
【０００２】
従来より、光学顕微鏡には、正立顕微鏡と倒立顕微鏡の２種類の顕微鏡がある。
このうち正立顕微鏡は、シャーレやプレパラート等の観察用具を載置する試料台の上方に、対物レンズが位置するものである。一方、倒立顕微鏡は、試料台の下方に対物レンズが位置するものである。
【０００３】
これらの顕微鏡を用いて試料台に置かれた試料を観察する場合、それぞれ以下のような利点・欠点がある。
試料台に置かれた試料を観察中に操作する場合、正立顕微鏡では、対物レンズが試料台の上方にあるので、試料台に置かれたシャーレ内の試料を正面に見ながらピンセットなどで操作することができるという利点がある。
【０００４】
一方、倒立顕微鏡の場合、対物レンズが試料台の下方にあるので、試料台に置かれた試料を裏面側から見ることとなり、正立顕微鏡に比べ試料を操作しにくいという欠点がある。
【０００５】
また、複数のシャーレ内に入れられたそれぞれの試料を観察したい場合、正立顕微鏡では、試料台の上方に鏡筒が位置するので、シャーレ入れ替えるたびに、試料に近づけた対物レンズを一旦試料台から離し、試料台にシャーレを置いたら再び対物レンズを試料台に近づけるという作業を繰り返す必要がある。
【０００６】
一方、倒立顕微鏡の場合、試料台の下方に対物レンズが位置するので、上記のような作業を行うことなく、試料台に置かれたシャーレを入れ替えるだけの作業で、複数の試料を素早く観察することができるという利点がある。
【発明の概要】
【発明が解決しようとする課題】
【０００７】
しかし、顕微鏡を用いた研究・試験において、いずれの顕微鏡を用いて試料を観察するかは、試験・研究の進捗状況や種類によって様々である。
そのため、顕微鏡を用いた研究・試験を行う場合、これらの用途に合わせて、正立・倒立２種類の顕微鏡を常に用意しておく必要があった。
【０００８】
そこで本発明では、正立顕微鏡としても倒立顕微鏡としても用いることができる顕微鏡を提供することを目的とする。
【課題を解決するための手段】
【０００９】
上述した問題を解決するためになされた発明である請求項１に記載の顕微鏡は、対物レンズを備える鏡筒部と、前記対物レンズに向けて観察光を照射する照射手段と、観察用の試料を載せた観察用具を載置する部分に、前記観察光を通す通光部を有する試料台と、前記照射手段から照射された前記観察光が、前記通光部を通って前記対物レンズに至る位ように、前記鏡筒部、前記試料台、及び、前記照射手段を支持する支持手段と、前記試料台の上方に前記鏡筒部が位置する正立位置から、前記試料台の下方に前記鏡筒部が位置する倒立位置まで前記支持手段を回転可能に支持する土台と、を備えることを特徴とする。
【００１０】
この顕微鏡は、支持手段を回転することで、対物レンズを備えた鏡筒部を試料台の上方の正立位置や、試料台の下方の倒立位置に配置することができるので、正立顕微鏡としても倒立顕微鏡としても用いることができる。
【００１１】
尚、照射手段としては、後述する模様体照明でもよいし、一般的な照明でもよいし、外部から取り込んだ光を対物レンズに向けて反射する鏡等でもよい。また、観察用具としては、主に透光性のシャーレやプレパラート等を用いることが考えられるが、これら以外のものを用いても良い。
【００１２】
請求項２に記載の顕微鏡は、鏡筒部が試料台に対し正立位置及び倒立位置に位置するときに、支持手段を土台に固定する固定手段を備えることを特徴とする。
本発明の顕微鏡は、支持手段が回転可能に構成されているので、試料を観察中に鏡筒部等が不意に回転しまう可能性があるが、このようにすると、固定手段を用いて支持手段を固定することができるので、このような不意の回転を防止することができる。
【００１３】
ところで、生物細胞など、無染色の細胞や微生物を観察する場合、これらの試料はほぼ透明であるためコントラストがほとんどなく、顕微鏡では観察が困難な場合が多い。そのため、このような無染色の試料を観察する場合、位相差顕微鏡を用いることが多いが、試料に当てる光に位相差を付けようとすると、位相差コンデンサを設ける必要があるなど、装置が大型化複雑化する。このように装置が大型化複雑化した顕微鏡を、本発明のように回転可能に構成すると、大型化した分だけ、装置に大きなトルクがかかり、このトルクによって生じるひずみにより各部品が本来配置される位置からズレたり精度が悪くなるなど様々な問題が生じる。
【００１４】
そこで、本発明の顕微鏡は、請求項３に記載したように、照射手段として、模様を有する透過体と、光源とを有し、光源から発せられ透過体を通した光を、観察光として照射する模様体照明を用いてもよい。
【００１５】
この模様体照明を用いれば、位相差コンデンサ等の構成を設ける必要がないなど、装置を小型化コンパクト化できるので、本発明の顕微鏡は、装置が大型化複雑化することによって生じる問題を引き起こすことなく、正立顕微鏡としても倒立顕微鏡としても用いることができる。
【００１６】
次に、請求項４に記載した顕微鏡は、試料台が、照射手段側及び対物レンズ側の両側に、観察用具を置く位置を位置決めする位置決凹部を有することを特徴とする。
本発明の試料台には、照射手段側及び対物レンズ側の両側に、位置決凹部が形成されているので、正立顕微鏡として用いたときも倒立顕微鏡として用いたときも、この位置決凹部に観察用具の底面を嵌め込めば、観察用具を試料台上に固定することができる。
【００１７】
そのため、この顕微鏡では、正立顕微鏡として用いた場合も、倒立顕微鏡として用いた場合も、試料台を回転させた場合に、観察用具が位置ズレしないので、観察中に、試料台を傾けて試料を観察用具内で移動させても、観察用具が試料台から落ちることを防止することができる。
【００１８】
次に、請求項５に記載した顕微鏡のように、試料台の対物レンズに対向する側を照らす位置から、試料台の照射手段に対向する側を照らす位置まで移動可能に支持手段に支持された照明手段を備えていることが好ましい。
【００１９】
この顕微鏡を用いれば、照明手段を用いて試料に光を照射して観察することもできる。
次に、請求項６に記載した顕微鏡のように、試料台及び鏡筒部はいずれも、観察光の光路に沿って移動可能に支持手段に支持されていることが好ましい。
【００２０】
このようにすると、焦点の調整などを行う場合、いずれか焦点を合わせやすい方を動かして焦点を合わせることができる。
次に、請求項７に記載した顕微鏡のように、鏡筒部は、対物レンズを介して試料を撮像する撮像手段を備え、この撮像手段は、撮影した画像をそのまま出力する第１モードと、撮影した画像の鏡像を出力する第２モードとを切替える切替手段を備えるものであることが好ましい。
【００２１】
この撮像手段を備えていると、本発明の顕微鏡は、正立顕微鏡として用いる場合は、第１モードで撮影された画像を見た方が、試料を観察しやすく、倒立顕微鏡として用いる場合は、第２モードで撮影された画像を見た方が、試料を観察しやすいからである。
【００２２】
尚、請求項８に記載した顕微鏡のように、鏡筒部は、支持手段に対し着脱可能に支持されていてもよいことはもちろんである。
【図面の簡単な説明】
【００２３】
【図１】本実施形態の正立時の顕微鏡で、（ａ）は正面図、（ｂ）は側面図、（ｃ）は背面図である。
【図２】本実施形態の倒立時の顕微鏡で、（ａ）は正面図、（ｂ）は側面図、（ｃ）は背面図である。
【図３】本実施形態の顕微鏡を構成する回転台が土台に対して回転する様子を示した斜視図である。
【図４】本実施形態の顕微鏡が備える試料台の説明図で、（ａ）は鏡筒部に対向する側の面の平面図、（ｂ）は模様体照明に対向する側の面の平面図、（ｃ）は（ａ）のＡ−Ａ’断面図である。
【図５】本実施形態の顕微鏡が備える模様体照明の説明図で、（ａ）は模様体照明の平面図、（ｂ）は、（ａ）のＢ−Ｂ’断面図である。
【発明を実施するための形態】
【００２４】
以下、本発明が適用された実施形態について図面を用いて説明する。
本実施形態の顕微鏡１は、図１に示すように、土台１０と、水平面に対し垂直な平面に沿って回転可能に土台１０に支持された回転台２０とを備えている。
【００２５】
また、顕微鏡１は、この回転台２０（本発明の支持手段に相当する）に支持された鏡筒部３０と、鏡筒部３０の下方で回転台２０に支持された試料台４０と、試料台４０の下方で試料台４０を介して回転台２０に支持された模様体照明５０（本発明の照射手段に相当する）とを備えている。
【００２６】
さらに、顕微鏡１は、試料台４０を介して回転台２０に支持され、試料台４０上を照らす位置に配置された照明６０（本発明の照明手段に相当する）とを備えている。
この顕微鏡１は、図３に示すように、回転台２０を土台１０に対し回転させることで、図１に示すように、鏡筒部３０が試料台４０に対して上方に位置する正立位置と、図２に示すように、鏡筒部３０が試料台４０に対して下方に位置する倒立位置とに配置することができるものである。
【００２７】
以下、この顕微鏡１について、詳細に説明する。
尚、以下の説明では、鏡筒部３０が試料台４０の上方に位置する正立位置に配置されているものとして説明する。
【００２８】
土台１０は、水平に配置された平板１１と、この平板１１に対して垂直に配置され、この平板１１の上面から上方に向かって延設された支柱１２と、平板１１の上面に載置された機械収納部１３とを有する。
【００２９】
機械収納部１３は、直方体形状に形成され、平板１１の上面の１辺ａ１と、機械収納部１３の長尺な一辺ａ２とが重なるように、平板１１の上面上に載置される。尚、平板１１の一辺ａ１側を、以下背面側、この平板１１の一辺ａ１と平行な他の一辺ａ３側を、以下正面側、正面側から背面側を見たときの右手を右側、左手を左側と以下呼ぶ。
【００３０】
支柱１２は、平板１１の背面側の一辺ａ１に比べて幅が狭く、上下方向に長尺な平板状に形成されており、厚み方向（正面側から背面側を見る方向（以下前後方向という）に沿った方向）に垂直な面のうち背面側の面が、機械収納部１１の正面側の側面に接し、かつ、平板１１の左右方向に沿った幅の中央で、平板１１の上面１１０から上方に向かって垂直に延設されている。
【００３１】
また、この支柱１２の背面側の側面には、回転台２０を支柱１２に対し回転可能に支持する回転支持具１２０と、回転台２０を固定する固定ピン１２１（本発明の固定手段に相当する）とを備えている。
【００３２】
このうち回転支持具１２０は、回転台２０の回転軸となる図示しない軸部と、人が握って操作可能な大きさに形成された頭部を有する略ネジ状に形成されており、軸部を、支柱１２の背面側から正面側に貫通し、その先端を回転台２０に螺合することにより、回転台２０を支柱１２に対し回転可能に支持している。
【００３３】
また固定ピン１２１は、背面側に引いた開放位置と、正面側に押し込んだ固定位置との間を移動可能に構成されている。そして、この固定ピン１２１は、鏡筒部３０等が正立位置に位置するとき、又は、倒立位置に位置するときに押し込むと、固定ピン１２１の図示しない軸部の先端が、回転台２０の背面側の側面に設けられた嵌合孔２９（図１（ｃ）、図２（ｃ）参照）に嵌合されることで、回転台２０を支柱１２に固定することができる。
【００３４】
次に、回転台２０は、支柱１２に比べ左右方向の幅がやや狭く、上下方向に長尺に形成され、厚み方向（前後方向）の厚みは支柱２１の厚みとほぼ同じ厚みで形成された回転土台部２１を備えている。
【００３５】
また、回転台２０は、回転土台部２１の正面側の面上であって、回転土台部２１の長手方向の上方側の端部に、鏡筒部３０を上下方向に移動可能に支持するカメラ移動用Ｚ軸ステージ２２を備えている。また、回転台２０は、回転土台部２１の正面側の面上であって、回転土台部２１の長手方向の下方側の端部に、試料台４０を上下方向に移動可能に支持する試料台移動用Ｚ軸ステージ２３とを備えている。
【００３６】
カメラ移動用Ｚ軸ステージ２２は、正面側の面上から正面側に向かって延設された鏡筒支持支柱２４と、左右側の側面上で回転可能に取り付けられたつまみ２５を備えている。
このカメラ移動用Ｚ軸ステージ２２は、詳細な説明については省略するが、つまみ２５を回転させると、鏡筒支持支柱２４、すなわち、この鏡筒支持支柱２４に支持された鏡筒部３０を上下方向に平行移動させることができる。
【００３７】
この鏡筒支持支柱２４は、左右方向に幅広に形成されており（図３参照）、先端部２４０が、背面部２４１に対して、前後方向に移動可能に構成されている。また、鏡筒支持支柱２４の正面側の先端には、先端部２４０を背面部２４１に止めるためのつまみ２４２が設けられている。このつまみ２４２を締めると先端部２４０を背面部２４１に固定することができ、このつまみ２４２を緩めると先端部２４０を背面部２４１から離すことができる。
【００３８】
この鏡筒支持支柱２４に鏡筒部３０を固定する場合、つまみ２４２を緩めて先端部２４０を正面側に移動させ、この移動によって形成された先端部２４０と背面部２４１との間の隙間に鏡筒部３０を通し、つまみ２４２を締めれば、先端部２４０と背面部２４１との間に挟んだ状態で鏡筒部３０を鏡筒支持支柱２４に固定することができる。
【００３９】
この鏡筒支持支柱２４に鏡筒部３０を固定すると、鏡筒部３０が試料台４０に対し垂直に配置されるとともに、鏡筒部３０の先端に設けられた図示しない対物レンズが、試料台４０に設けられた円状の通光部４００（図４参照）の中心部分を向いて配置される。
【００４０】
試料台移動用Ｚ軸ステージ２３は、正面側の面上に試料台４０が水平に配置されるように取り付けられ、左右側の側面上で回転可能に取り付けられたつまみ２６を備えている。
この試料台移動用Ｚ軸ステージ２３は、詳細な説明については省略するが、つまみ２６を回転させると、試料台４０を上下方向に平行移動させることができる。
【００４１】
次に、鏡筒部３０は、長尺な筒状に形成された本体３０ａを備えており、この本体３０ａの長手方向の一端側（図１では下端側）の側面には図示しない対物レンズが配置されている。一方、この本体３０ａの長手方向の他端側（図１では上端側）には、ＣＣＤカメラ３１（本発明の撮像手段に相当する）が取り付けられている。本体３０ａ内には、図示しないズームレンズが配置されており、対物レンズを試料台４０の上に置かれた試料に近づけると、対物レンズとズームレンズによって拡大された試料の画像をＣＣＤカメラ３１に取り込むことができる。
【００４２】
試料台４０は、図４に示すように、中央部分に略円状の通光孔４１（本発明の通光部に相当する）が形成されている。またこの試料台４０は、鏡筒部３０と対向する側の面４２、及び、その反対側の面４３のいずれにも、シャーレの底面部分を嵌め込むことができる、通光孔４１と同心円状の凹部４２０、４３０（本発明の位置決凹部に相当する）が設けられている。また、この試料台４０には、通光孔４１から正面側に向かって切り込まれた切込孔４２が設けられている。この切込孔４４は、凹部４２０又は４３０に円盤状のシャーレを置いたときに、このシャーレを指で上下からつまむことができるように、切込孔４４は指を通すことができる大きさに形成されている。
【００４３】
模様体照明５０は、図１に示すように、試料台４０を介して、回転台２０に支持されている。具体的には、試料台４０の下面（模様体照明５０に対向する面）には、この下面の左背面側の隅から下方に向かって支柱５１が鉛直に延設され、この支柱５１から試料台４０に設けられた通光孔の中心部分の下方位置まで、アーム５２が水平に延設されている。模様体照明５０は、このアーム５２の遊端の上方側に取り付けられる。このとき、模様体照明５０は、円筒形状に形成されているので（図３参照）、この円筒の中心軸と通光孔４１の中心とが同じ直線上に位置し、かつ、この円筒の中心軸が水平面に対し垂直になるように、アーム５２の遊端の上方側に取り付けられる。
【００４４】
アーム５２は、支柱５１に対して上下方向に平行移動可能に取り付けられており、支柱５１に挿通され、アーム５２の上下に配置されたつまみ５３，５３を絞ることで、上下方向の任意の位置で支柱５１に固定することができる。すなわち、模様体照明５０は、試料台４０に対して、上下方向の任意の位置で固定することができる。
【００４５】
また、模様体照明５０は、図５（ｂ）に示すように、ランプ５５（本発明の光源に相当する）と、透明な材料で構成され、その表面に模様が描かれた模様体５６（本発明の透過体に相当する）とを、内部に備えている。このうちランプ５５は、筐体５０ａ内部の下部側側面上であって、筐体５０ａが形成する円筒の中心軸上で上方側側面を向いて配置されている。また、筐体５０ａの上部側側面には、筐体５０ａの中心軸に垂直で、この中心軸を中心とする円状の通光孔５７が形成されている。模様体５６は、円板状に構成されており、筐体５０ａと同軸状に筐体５０ａの内部に配置されるとともに、ランプ５５と通光孔５７との間の位置に配置されている。このため、この模様体照明５０では、ランプ５５を点灯すると、模様体５６を介した観察光が通光孔５７から照射される。
【００４６】
照明６０は、図１に示すように、円筒状に形成されており、軸方向の一端側の側面から光を照射し、他端側の側面には後述するつまみ６０ａが設けられている。
この照明６０は、試料台４０を介して回転台２０に支持されている。具体的には、試料台４０の背面側側面であって、この側面の左右の端部から、前後方向に対して垂直な面に沿って直線上に延設され、この面上で回転可能に試料台４０に軸支された照明用支柱６１を備え、また、この照明用支柱６１には、この面に対して垂直に、正面側に向かって延設された照明用アーム６２が取り付けられているので、照明６０は、この照明用アーム６２につまみ６０ａを介して取り付けられている。
【００４７】
照明用支柱６１は、つまみ６１ａの図示しない軸部を貫通させ、試料台４０に螺入させることにより、試料台４０に対し回転可能に取り付けられており、つまみ６１ａを締めれば照明用支柱６１を試料台４０に固定することができ、緩めれば照明用支柱６１を試料台４０に対し回転させることができる。
【００４８】
また、照明用支柱６１には、照明用アーム６２が取り付けられる部分に、照明用支柱６１の長手方向に沿って長尺な移動用長孔６１ｂが形成されている。そして、照明用アーム６２は、この移動用長孔６１ｂにつまみ６２ａの軸部を水平に通し、この軸部を照明用アーム６２に螺入させることで、照明用支柱６１に取り付けられる。このとき、つまみ６２ａは、つまみ６２ａの中心軸と、照明用アーム６２の中心軸とが同一直線上に配置されるように、照明用アーム６２に螺入される。そして、このつまみ６２ａが螺入された照明用アーム６２は、つまみ６２ａを締めれば照明用支柱６１に固定することができ、緩めればつまみ６２ａの中心軸まわりに軸回転させることができる。
【００４９】
また、照明用アーム６２にも、その長手方向に沿って形成された移動用長孔６２ｂが形成されている。そして、照明６０のつまみ６０ａの軸部は、この移動用長孔６２ｂに通されているので、このつまみ６０ａを締めれば照明用アーム６２の長手方向の任意の位置で照明６０を固定でき、緩めれば、照明用アーム６２の長手方向に沿って照明６０を移動させることができる。
【００５０】
次に、上述した顕微鏡１の作用について説明する。
この顕微鏡１は、固定ピン１２１を引くと、回転台２０が支柱１２に対して回転可能となる。そのためこの回転台２０を回転させると、鏡筒部３０が試料台４０の上方に位置する正立位置や（図１参照）、試料台４０の下方に鏡筒部３０が位置する倒立位置に（図２参照）、鏡筒部３０や試料台４０等を配置することができる。
【００５１】
一方、この顕微鏡１は、鏡筒部３０や試料台４０が正立位置や倒立位置にあるときに固定ピン１２１を押し込むと回転台２０が固定されるので、鏡筒部３０や試料台４０等を正立位置や倒立位置に固定することができる。
【００５２】
この顕微鏡１は、つまみ２５やつまみ２６を回転させると、鏡筒部３０や試料台４０をそれぞれ上下方向に移動させることができる。このとき、模様体照明５０は、試料台４０に固定されているので、つまみ２６を回転させると、試料台４０とともに移動させることができる。一方、つまみ５３を緩めれば、模様体照明５０を試料台４０に対して上下方向に移動することができ、つまみ５３を締めれば、模様体照明５０を試料台４０に対して固定することができる。
【００５３】
この顕微鏡１は、つまみ６１ａを緩めると、照明用支柱６１が回転して、試料台４０の上面側または下面側に照明６０を移動させることができ、つまみ６１ａを締めると、移動した場所に照明６０を固定することができる。また、つまみ６２ａを緩めると、照明用アーム６２の中心軸まわりに照明６０を回転させることができるので、試料台４０の上面又は下面に移動した照明６０の照射面を、試料を照らす方向に向けることができる。また、つまみ６２ａを緩めると、移動用長孔６１ｂに沿って照明用アーム６２を平行移動できるので、例えば、照明用支柱６１を外側に傾け、照明用アーム６２を移動用長孔６１ｂの遊端まで移動させれば、照明６０を試料から遠い位置に配置することができ、照明用アーム６２を移動用長孔６１ｂのつまみ６１ａに固定される側に移動させれば、照明６０を試料から近い位置に配置することができる。また、つまみ６０ａを緩めると、照明６０を前後方向に沿って移動させることができるので、前後方向に対しても照明６０を自在に移動させることができる。
【００５４】
また、この顕微鏡１は、正立顕微鏡として用いる場合でも（図１参照）、倒立顕微鏡として用いる場合でも（図２参照）、試料台４０の上下両面に凹部４２０、４３０が設けられているので、シャーレを凹部４２０，４３０に嵌め込めば、シャーレを試料台４０に固定して載置することができる。
【００５５】
また、この顕微鏡１は、正立顕微鏡として用いられるとき、図１に示すように、模様体照明５０が、試料台４０の通光孔４１の中心に向かって垂直に観察光を照射し、鏡筒部３０の対物レンズが、試料台４０の通光孔４１を上方から垂直に見下ろす位置に配置される。そのため、模様体照明５０から照射された観察光は、試料台４０の通光孔４１の中心を通り、対物レンズに達するので、試料台４０の上にシャーレ等をおいて、通光孔４１を通る観察光に、シャーレ内に置かれた試料を当てると、鏡筒部３０が備えるカメラ３１から出力された画像により、試料を拡大した画像をみることができる。
【００５６】
以上説明した顕微鏡は、以下のような特徴的な技術的な効果がある。
本実施形態の顕微鏡１は、回転台２０を回転することで、鏡筒部３０を試料台４０の上方の正立位置や、試料台４０の下方の倒立位置に配置することができるので、正立顕微鏡としても倒立顕微鏡としても用いることができる。
【００５７】
また、本実施形態の顕微鏡１は、回転台２０が回転可能に構成されているので、試料を観察中に鏡筒部３０等が不意に回転しまう可能性があるが、固定ピン１２１を用いて回転台２０を固定することができるので、このような不意の回転を防止することができる。  
【００５８】
ところで、生物細胞など、無染色の細胞や微生物を観察する場合、これらの試料はほぼ透明であるためコントラストがほとんどなく、顕微鏡では観察が困難な場合が多い。そのため、このような無染色の試料を観察する場合、位相差顕微鏡を用いることが多いが、試料に当てる光に位相差を付けようとすると、位相差を付けるための位相差コンデンサを設ける必要があるなど、装置が大型化複雑化する。このように装置が大型化複雑化した顕微鏡を、本実施形態のように回転可能に構成すると、大型化した分だけ、装置に大きなトルクがかかり、このトルクによって生じるひずみにより各部品が本来配置される位置からズレたり精度が悪くなるなど様々な問題が生じる。
【００５９】
そこで、本実施形態の顕微鏡１は、このような大型化複雑化を防止するため、無染色の細胞や微生物にコントラストを与えることができる模様体照明５０を用いて観察光を照射している。
【００６０】
この模様体照明５０を用いれば、位相差コンデンサ等の構成を設ける必要がないなど、装置を小型化コンパクト化できるので、装置が大型化複雑化することによって生じる精度の悪化や、操作性の悪化などの問題を引き起こすことなく、正立顕微鏡としても倒立顕微鏡としても用いることができる。
【００６１】
次に、本実施形態の顕微鏡１の試料台４０には、鏡筒部３０側及び模様体照明４０側の両側に、凹部４２０、４３０が形成されているので、正立顕微鏡として用いたときも倒立顕微鏡として用いたときも、この凹部４２０、４３０にシャーレの底面を嵌め込めば、シャーレを試料台４０上に固定することができる。
【００６２】
そのため、この顕微鏡１では、正立顕微鏡として用いた場合も、倒立顕微鏡として用いた場合も、試料台４０を回転させた場合に、シャーレが位置ズレしないので、観察中に、試料台４０を傾けて試料をシャーレ内で移動させても、シャーレが試料台４０から落ちることを防止することができる。
【００６３】
次に、本実施形態の顕微鏡１は、試料台４０の対物レンズに対向する側を照らす位置から、試料台４０の模様体照明５０に対向する側を照らす位置まで移動可能に、試料台４０を介して回転台２０に支持された照明６０を備えている。そのため不透明な試料を観察する場合、この照明６０を用いれば、この照明６０を用いて試料に光を照射することで、試料を観察することもできる。
【００６４】
次に、本実施形態の顕微鏡１は、試料台４０及び鏡筒部３０のいずれも、つまみ２５，２６を回転させれば、観察光の光路に沿って移動可能に回転台２０に支持されているので、焦点の調整などを行う場合、いずれが焦点を合わせやすい方を動かして焦点を合わせることができる。
【００６５】
尚、鏡筒部３０に備えられるカメラとしては、撮影した画像をそのまま出力する第１モードと、撮影した画像の鏡像を出力する第２モードとを切替えることができるものであることが好ましい。本実施形態１の顕微鏡は、正立顕微鏡として用いる場合は、第１モードで撮影された画像を見た方が、試料を観察しやすく、倒立顕微鏡として用いる場合は、第２モードで撮影された画像を見た方が、試料を観察しやすいからである。
（対応関係）
本実施形態の固定ピン１２１は、本発明の固定手段に相当する。
【００６６】
本実施形態の回転台２０は、本発明の支持手段に相当する。
本実施形態のＣＣＤカメラ３１は、本発明の撮像手段に相当する。
本実施形態の通光孔４１は、本発明の通光部に相当する。
【００６７】
本実施形態の凹部４２０、４３０は、本発明の位置決凹部に相当する。
本実施形態の模様体照明５０は、本発明の照射手段に相当する。
本実施形態のランプ５５は、本発明の光源に相当する。
【００６８】
本実施形態の模様体５６は、本発明の透過体に相当する。
本実施形態の照明６０は、本発明の照明手段に相当する。
（その他の実施形態）
上述した実施形態では、鏡筒部３０にカメラを備えるものについて説明したが、このカメラに代えて接眼レンズを取り付けてもよいことはもちろんである。
【００６９】
本発明は、特許請求の範囲に記載された発明の趣旨に合致するものであればよく、上述の実施形態に限定されるものではない。
【符号の説明】
【００７０】
１…顕微鏡、１０…土台、１１…機械収納部、１１…平板、１２…支柱、１３…機械収納部、２０…回転台、２１…回転土台部、２１…支柱、２２…カメラ移動用Ｚ軸ステージ、２３…試料台移動用Ｚ軸ステージ、２４…鏡筒支持支柱、２９…嵌合孔、３０…鏡筒部、３０ａ…本体、３１…ＣＣＤカメラ、３１…カメラ、４０…試料台、４１…通光孔、４２…切込孔、４４…切込孔、５０…模様体照明、５０ａ…筐体、５１…支柱、５２…アーム、５５…ランプ、５６…模様体、５７…通光孔、６０…照明、６１…照明用支柱、６１ｂ…移動用長孔、６２…照明用アーム、６２ｂ…移動用長孔、１１０…上面、１２０…回転支持具、１２１…固定ピン、２４０…先端部、２４１…背面部、４００…通光部、４２０…凹部。
【図１】
2011027906.tif 000003
【図２】
2011027906.tif 000004
【図３】
2011027906.tif 000005
【図４】
2011027906.tif 000006
【図５】
2011027906.tif 000007